(57)【要約】【課題】新たに循環路を浴槽に設ける必要がなく、浴槽水の非循環部分や、浴槽の内壁、浴槽の底部など、浴槽内面の隅々まで殺菌することにより、浴槽の衛生状態を改善することができる浴槽水の殺菌装置および殺菌方法を提供する。また、浴槽の清掃作業に係る省力化にも対応できる浴槽水の殺菌装置および殺菌方法を提供する。【解決手段】浴槽水２ａを殺菌可能な防水構造の紫外線ランプ９と、浮力を有するフロート部１０とを備えたランプユニット３を浴槽水２ａの水面２ｂに浮かせるとともに、このランプユニット３の紫外線ランプ９で発生する紫外線を浴槽水２ａに照射することにより浴槽水２ａを殺菌する。【選択図】図１
2007089850.tif 000002
【特許請求の範囲】
【請求項１】
浴槽に貯留された浴槽水を殺菌する浴槽水の殺菌装置であって、
防水構造の紫外線ランプと、浮力を有するフロート部とを有するランプユニットを備え、
上記ランプユニットは、浴槽水の水面に浮いた状態で上記紫外線ランプで発生する紫外線を浴槽水に照射することにより浴槽水を殺菌するものであることを特徴とする浴槽水の殺菌装置。
【請求項２】
上記ランプユニットは、浴槽水の水面に浮いた状態で紫外線ランプの長手方向が概ね水面に平行になるように上記紫外線ランプを保持するものであることを特徴とする請求項１に記載の浴槽水の殺菌装置。
【請求項３】
上記ランプユニットは、浴槽水の水面に浮いた状態で上記紫外線ランプを浴槽水の水面直下に横たわるように上記紫外線ランプを保持するものであることを特徴とする請求項１または請求項２のいずれかに記載の浴槽水の殺菌装置。
【請求項４】
上記ランプユニットは、紫外線ランプの後方に向かう光を前方の浴槽水の方向に反射する反射板と、紫外線ランプを覆って保護する保護枠と、浴槽水の水面上の部分に設けられ、ランプユニットを把持するための取っ手とを有していることを特徴とする請求項１ないし請求項３のいずれかに記載の浴槽水の殺菌装置。
【請求項５】
上記ランプユニットの紫外線ランプに供給する電力を発生させる電力供給装置と、
この電力供給装置で発生した電力をランプユニットの紫外線ランプに供給する防水構造のケーブルと、
このケーブルを繰り出し可能に巻き取るケーブル巻き取り機と、
上記ランプユニットを着脱自在に保持するランプユニット保持部と、
上記電力供給装置と、上記ケーブル巻き取り機と、上記ランプユニット保持部とを積載する手押し車と
を備えたことを特徴とする請求項１ないし請求項４のいずれかに記載の浴槽水の殺菌装置。
【請求項６】
浴槽に貯留された浴槽水を殺菌する殺菌方法であって、
浴槽の浴槽水を殺菌可能な防水構造の紫外線ランプと、浮力を有するフロート部とを備えたランプユニットを浴槽水の水面に浮かせるとともに、
このランプユニットの紫外線ランプで発生する紫外線を浴槽水に照射することにより浴槽水を殺菌する浴槽水の殺菌方法。
【発明の詳細な説明】
【技術分野】
【０００１】
本発明は、浴槽水の殺菌装置および殺菌方法に関するものである。
【背景技術】
【０００２】
従来、浴槽に貯留された浴槽水を殺菌する殺菌方法として、塩素やカルキなどの薬剤を用いた方法が採用されてきたが、この方法では塩素臭などの刺激臭が発生するので、最近では、紫外線ランプを用いた方法が種々開発されている。
【０００３】
例えば、図１１は、このような紫外線ランプ２４を用いた殺菌装置２１の例を示す概念図である。この図１１の殺菌装置２１は、浴槽２内の浴槽水２ａを循環させるための循環路２２と、循環ポンプ２３と、紫外線ランプ２４と、紫外線ランプ２４に供給する電力を発生させる電力供給装置２５とを備え、循環路２２を循環する浴槽水２ａに紫外線を照射することにより浴槽水２ａが殺菌されるように構成されている。
【０００４】
また、このような循環式の殺菌装置として、例えば、特許文献１には、循環路と、循環ポンプと、光触媒を収納した浄化殺菌タンクと、浴湯に紫外線を照射する紫外線ランプとを備えた浴湯浄化装置の技術が開示されている。
【０００５】
これら図１１に示した浴槽水の殺菌装置２１や、特許文献１に開示された浴湯浄化装置の技術は、塩素やカルキなどの薬剤を用いた方法のように塩素の濃度点検をしたり、薬剤を追加投入したりする必要がない。また、ランニングコストも一般の蛍光灯にかかる電気代程度で済むという利点がある。
【特許文献１】特開平１１−１８８３５６号公報
【発明の開示】
【発明が解決しようとする課題】
【０００６】
しかしながら、上述の図１１に示した浴槽水の殺菌装置２１や、特許文献１に開示された浴湯浄化装置の技術では、殺菌装置を設置する場合には、わざわざ循環路を浴槽に設けなければならないという不具合があった。
【０００７】
また、循環路の途中で浴槽水を殺菌するので、浴槽水の非循環部分２６や、浴槽の内壁２７および底部２８などの内面は、殺菌することができないという問題があった。そのため浴槽内面は、入浴する多数の人間の雑菌によりぬめりなどのスライムが形成され易かった。特に、スライムの裏側に隠れているレジオネラ菌などの有害な菌は塩素などの殺菌剤でも処理することができず、必ずしも浴槽の衛生状態を良好に維持できるとは言えないという問題があった。
【０００８】
また、浴槽の衛生状態を改善するために、浴槽から全湯を抜いて浴槽内面を清掃しても、しばらく時間が経過すると、入浴する多数の人間の雑菌によりぬめりなどのスライムが再び形成されて浴槽の衛生状態が悪化するという不具合があった。このため、従来の循環式の殺菌装置では、頻繁に定期的な清掃作業を行わねばならず、浴槽の清掃作業に係る省力化にも限界があるという問題があった。
【０００９】
本発明は上記不具合に鑑みてなされたものであり、新たに循環路を浴槽に設ける必要がなく、浴槽水の非循環部分や、浴槽の内壁、浴槽の底部など、浴槽内面の隅々まで殺菌することにより、浴槽の衛生状態を改善することができる浴槽水の殺菌装置および殺菌方法を提供することを課題としている。また、浴槽の清掃作業に係る省力化にも対応できる浴槽水の殺菌装置および殺菌方法を提供することを課題としている。
【課題を解決するための手段】
【００１０】
上記課題を解決するための本発明に係る浴槽水の殺菌装置は、浴槽に貯留された浴槽水を殺菌する浴槽水の殺菌装置であって、防水構造の紫外線ランプと、浮力を有するフロート部とを有するランプユニットを備え、上記ランプユニットは、浴槽水の水面に浮いた状態で上記紫外線ランプで発生する紫外線を浴槽水に照射することにより浴槽水を殺菌するものであることを特徴とするものである。
【００１１】
また、本発明に係る浴槽水の殺菌方法は、浴槽に貯留された浴槽水を殺菌する殺菌方法であって、浴槽の浴槽水を殺菌可能な防水構造の紫外線ランプと、浮力を有するフロート部とを備えたランプユニットを浴槽水の水面に浮かせるとともに、このランプユニットの紫外線ランプで発生する紫外線を浴槽水に照射することにより浴槽水を殺菌する浴槽水の殺菌方法である。
【００１２】
本発明に係る浴槽水の殺菌装置あるいは浴槽水の殺菌方法によれば、フロート部を備えたランプユニットが浴槽水の水面に浮いた状態で、紫外線ランプで発生する紫外線を直接浴槽水に照射して浴槽水を殺菌するので、循環式の殺菌装置のように新たに循環路を浴槽に設ける必要がない。
【００１３】
また、紫外線を直接浴槽水に照射して浴槽水を殺菌するので、浴槽水の非循環部分や、浴槽の内壁、浴槽の底部など、浴槽内面の隅々まで殺菌することができる。特に、従来の循環式の殺菌装置では殺菌できなかった浴槽内面のスライムの裏側に隠れているレジオネラ菌などの有害な菌を殺菌することができるので浴槽の衛生状態を著しく改善することができるようになる。
【００１４】
また、このように浴槽内面の隅々まで殺菌して常に浴槽を衛生的に維持することができるので、浴槽から全湯を抜いて清掃する定期的な清掃作業と次の清掃作業との間の期間を長くすることができる結果、浴槽の清掃作業に係る省力化に大きく貢献する。
【００１５】
ここで、上記ランプユニットは、浴槽水の水面に浮いた状態で紫外線ランプの長手方向が概ね水面に平行になるように上記紫外線ランプを保持するものであることが好ましい。
【００１６】
このようにすれば、紫外線ランプの長手方向が概ね水面に平行になるので、紫外線ランプの長手方向の広い範囲を概ね均等な照度でむらなく殺菌することができるようになる。
【００１７】
また、上記ランプユニットは、浴槽水の水面に浮いた状態で上記紫外線ランプを浴槽水の水面直下に横たわるように上記紫外線ランプを保持するものであることが好ましい。
【００１８】
このようにすれば、紫外線ランプが浴槽水の水面直下に横たわるので、浴槽水の水面で反射することによる光の損失を無くすことができる結果、紫外線ランプで発生する紫外線を有効に利用することができる。
【００１９】
また、上記ランプユニットは、紫外線ランプの後方に向かう光を前方の浴槽水の方向に反射する反射板と、紫外線ランプを覆って保護する保護枠と、浴槽水の水面上の部分に設けられ、ランプユニットを把持するための取っ手とを有していることが好ましい。
【００２０】
このようにすれば、紫外線ランプの後方に向かう光が前方の浴槽水の方向に反射するので、浴槽水の方向に向かう光が増加する結果、殺菌効果をより高めることができる。
【００２１】
また、ランプユニットの保護枠が、紫外線ランプを覆って保護するので、ランプユニットのハンドリングの際に紫外線ランプが物に当って破損することを未然に防止することができるようになる。
【００２２】
また、例えばランプユニットを浴槽水に対して設置したり撤去したりする時など、浴槽水の水面上の部分にある取っ手を把持してできるので、ランプユニットをハンドリングし易くなる。
【００２３】
さらに、この浴槽水の殺菌装置は、上記ランプユニットの紫外線ランプに供給する電力を発生させる電力供給装置と、この電力供給装置で発生した電力をランプユニットの紫外線ランプに供給する防水構造のケーブルと、このケーブルを繰り出し可能に巻き取るケーブル巻き取り機と、上記ランプユニットを着脱自在に保持するランプユニット保持部と、上記電力供給装置と、上記ケーブル巻き取り機と、上記ランプユニット保持部とを積載する手押し車とを備えていることが好ましい。
【００２４】
このようにすれば、電力供給装置が、ランプユニットの紫外線ランプに供給する電力を発生させるとともに、防水構造のケーブルが、電力供給装置で発生した電力をランプユニットの紫外線ランプに供給するので、ランプユニット内に重い電力供給装置を組み込む必要がなくなる結果、より軽くコンパクトなランプユニットにすることができる。また、軽いランプユニットにすることができるので、フロート部の容積を小さくすることができる結果、さらにコンパクトなハンドリングし易いランプユニットにすることができる。
【００２５】
また、防水構造のケーブルが、電力供給装置で発生した電力をランプユニットの紫外線ランプに供給するので、ランプユニットをより広い範囲に移動させることができる結果、より広い浴槽や浴場に適用することができるようになる。
【００２６】
また、殺菌装置のケーブル巻き取り機により、ケーブルを繰り出したり、巻き取ったりすることができるので、収納性の良好な殺菌装置とすることができる。
【００２７】
さらに、手押し車に電力供給装置と、ケーブル巻き取り機と、ランプユニット保持部が設けられ、ランプユニット保持部が、ランプユニットを着脱自在に保持するので、殺菌装置を移動させることが容易になる。また、ランプユニットとケーブルとの収納が容易になる。
【発明の効果】
【００２８】
以上説明したように、本発明によれば、紫外線を直接浴槽水に照射して浴槽水を殺菌するので、循環式の殺菌装置のように新たに循環路を浴槽に設ける必要がないという顕著な効果を奏する。
【００２９】
また、浴槽水の非循環部分や、浴槽の内壁、浴槽の底部など、浴槽内面の隅々まで殺菌することができるので、浴槽の衛生状態を著しく改善することができるとともに、浴槽の清掃作業に係る省力化に大きく貢献することができるという顕著な効果を奏する。
【発明を実施するための最良の形態】
【００３０】
以下、添付図面を参照しながら本発明の好ましい実施の一形態について詳述する。図１は、本発明の実施の形態に係る浴槽水の殺菌装置１の構成を示す側面図であり、図２は、図１の正面図を、図３は、図１の上面図を、それぞれ示している。また、図４は、殺菌装置１のランプユニット３の構成を示す斜視図であり、図５は、ランプユニット３の上面図、図６は、図５の側面図、図７は、図５の下面図、図８は、ランプユニット３を長手方向から見た図５の側面図、図９は、図７のＡ−Ａ断面図をそれぞれ示している。
【００３１】
本発明の実施の形態に係る浴槽水の殺菌装置１は、例えば、図１０に示すような浴槽２に貯留された浴槽水２ａを殺菌するものである。この浴槽水の殺菌装置１は、図１〜図３に示すように、ランプユニット３と、このランプユニット３の紫外線ランプ９に供給する電力を発生させる電力供給装置４と、電力供給装置４で発生した電力を紫外線ランプ９に供給する防水構造のケーブル５と、ケーブル５を繰り出し可能に巻き取るケーブル巻き取り機６とが、手押し車７に組み込まれている。
【００３２】
上記浴槽２（図１０）としては、本実施形態では、一般の旅館、温泉、家庭の浴室に設けられる浴槽が対象となっている。また、本発明の実施の形態に係る浴槽水の殺菌装置１は、浴湯、温泉湯など、入浴に適した温度に調整された湯だけに限定されず、入浴前後の温度の低い状態の水、湯にも適用される。
【００３３】
上記ランプユニット３は、図４〜図９に示すように、枠体８に１本の紫外線ランプ９と、浮力を有する３つのフロート部１０とを備え、フロート部１０の浮力により枠体８ごと浴槽水２ａの水面２ｂに浮くことができるように構成されている。そして、この浮いた状態で、紫外線ランプ９からの紫外線を浴槽水２ａに照射することにより浴槽水２ａを殺菌可能なようになっている。
【００３４】
ここで、枠体８は、薄い金属板を曲折して形成したものを塗料で被覆したものである。このランプユニット３の枠体８には、紫外線ランプ９を保持するランプホルダ１２と、紫外線ランプ９の後方に向かう光を前方の浴槽水２ａの方向に反射する反射板１３と、紫外線ランプ９を覆って保護する保護枠１４と、浴槽水２ａの水面２ｂ上の部分にランプユニット３を把持するための取っ手１５（図５）とが設けられている。また、ランプユニット３を軽量化するために適当な箇所に切り欠き部１６（図５）が設けられている。
【００３５】
また、紫外線ランプ９は、本実施形態では、長尺の水銀蒸気を封入した放電管形式の紫外線ランプが用いられている。この紫外線ランプ９は、浴槽水２ａを張った浴槽２の底面において約０．００６ｍＷ／ｃｍ２の照度が得られる防水構造のものが採用され、やはり防水構造のコネクタ９ａでケーブル５と接続されている。
【００３６】
フロート部１０は、発泡スチロールなど、軽量な発泡性樹脂材が採用されており、枠体８と枠体８に設けられた係止部８ａとに周囲を覆われるようにしてランプユニット３に収納されている。
【００３７】
このランプユニット３は、浴槽水２ａの水面２ｂに浮いた状態で、紫外線ランプ９を浴槽水２ａの水面２ｂの直下に横たわるように、また、紫外線ランプ９の長手方向が概ね水面２ｂに平行になるように保持している。
【００３８】
また、このランプユニット３は、収納時は、手押し車７に設けられたランプユニット保持部１１（図１）に斜めにもたれかかるような姿勢で係止されることにより、ランプユニット保持部１１に着脱自在に保持されるように構成されている。
【００３９】
上記電力供給装置４は、本実施形態では、家庭用交流１００ボルト電源から電力の供給を受け、ランプユニット３の紫外線ランプ９に供給する電力を発生させるものである。この電力供給装置４は、その回路中に紫外線ランプ９を初期点灯するためのグローランプ方式の点灯回路を有している。
【００４０】
上記ケーブル５は、電力供給装置４で発生した電力をランプユニット３の紫外線ランプ９に供給する導電路であり、銅線を塩化ビニルで被覆することにより絶縁と防水と柔軟性とが実現された構造になっている。
【００４１】
上記ケーブル巻き取り機６は、ケーブル５を繰り出し可能に巻き取るものであり、ケーシング６ａとこのケーシング６ａに軸支された芯部６ｂとを備えている。そして、このケーブル巻き取り機６は、芯部６ｂに連結される図略のハンドルを手動で回転させることにより、ケーブル５を繰り出したり、巻き取ったりすることができるように構成されている。
【００４２】
上記手押し車７は、手押し部７ａとキャスター７ｂとが設けられている荷物搬送用の手押し台車であり、上述のランプユニット保持部１１と、電力供給装置４とがそれぞれ前面と背面とに固定されている。また、上述のケーブル巻き取り機６が中央に固定されている。
【００４３】
次に図１〜図４と図１０を参照して、本発明の実施の形態に係る浴槽水の殺菌装置１および殺菌方法の作用について説明する。
【００４４】
まず、本発明の実施の形態に係る浴槽水の殺菌装置１は、収納時は、図１〜図３に示すように、ケーブル５がケーブル巻き取り機６に巻き取られ、ランプユニット３が、ランプユニット保持部１１に斜めにもたれかかるような姿勢で係止された状態になっている。
【００４５】
次に、この殺菌装置１を使用する時は、作業者がケーブル巻き取り機６の芯部に連結される図略のハンドルを手動で回転させることにより、ケーブル５をケーブル巻き取り機６から繰り出すとともに、ランプユニット３の取っ手１５（図５）を持ってランプユニット３をランプユニット保持部１１からとり外す。そして、図１０に示すように浴槽２に浮かべる。この時、ランプユニット３の保護枠１４が紫外線ランプ９を保護する。
【００４６】
そして、電力供給装置４のスイッチを入れることにより、この電力供給装置４で発生した電力がケーブル５を介してランプユニット３の紫外線ランプ９に供給される。
【００４７】
この時、ランプユニット３は、紫外線ランプ９を浴槽水２ａの水面２ｂ直下に横たわるように、また、紫外線ランプ９の長手方向が概ね水面２ｂに平行になるように紫外線ランプ９を保持する。また、反射板１３が、紫外線ランプ９の後方に向かう光を前方の浴槽水２ａの方向に反射する。
【００４８】
このように、本発明の実施の形態に係る浴槽水の殺菌装置１を用いた殺菌方法では、ランプユニット３を浴槽水２ａの水面２ｂに浮かせるとともに、紫外線ランプ９で発生する紫外線を浴槽水２ａに照射することにより浴槽水２ａを殺菌する。
【００４９】
以上説明したように、本発明の実施の形態に係る浴槽水の殺菌装置１および殺菌方法によれば、フロート部１０を備えたランプユニット３が浴槽水２ａの水面２ｂに浮いた状態で、紫外線ランプ９で発生する紫外線を直接浴槽水２ａに照射して浴槽水２ａを殺菌するので、循環式の殺菌装置のように新たに循環路を浴槽２に設ける必要がない。
【００５０】
また、紫外線を直接浴槽水２ａに照射して浴槽水２ａを殺菌するので、浴槽水２ａの非循環部分や、浴槽２の内壁、浴槽２の底部など、浴槽２内面の隅々まで殺菌することができる。特に、従来の循環式の殺菌装置１では、殺菌できなかった浴槽２の内面のスライムの裏側に隠れているレジオネラ菌などの有害な菌を殺菌することができるので浴槽２の衛生状態を著しく改善することができるようになる。
【００５１】
さらに、このように浴槽２の内面の隅々まで殺菌して常に浴槽２を衛生的に維持することができるので、浴槽２から全湯を抜いて清掃する定期的な清掃作業と次の清掃作業との間の期間を長くすることができる結果、浴槽２の清掃作業に係る省力化に大きく貢献する。
【００５２】
また、ランプユニット３が、浴槽水２ａの水面２ｂに浮いた状態で紫外線ランプ９の長手方向が概ね水面２ｂに平行になるように紫外線ランプ９を保持するので、紫外線ランプ９の長手方向の広い範囲を概ね均等な照度でむらなく殺菌することができるようになる。
【００５３】
また、ランプユニット３が、浴槽水２ａの水面２ｂに浮いた状態で紫外線ランプ９を浴槽水２ａの水面２ｂ直下に横たわるように紫外線ランプ９を保持するので、浴槽水２ａの水面２ｂで反射することによる光の損失を無くすことができる結果、紫外線ランプ９で発生する紫外線を有効に利用することができる。
【００５４】
さらに、ランプユニット３が、紫外線ランプ９の後方に向かう光を前方の浴槽水２ａの方向に反射する反射板１３を備えているので、浴槽水２ａの方向に向かう光が増加する結果、殺菌効果をより高めることができる。
【００５５】
また、ランプユニット３の保護枠１４が、紫外線ランプ９を覆って保護するので、ランプユニット３のハンドリングの際に紫外線ランプ９を物に当てて破損することを未然に防止することができる。
【００５６】
また、ランプユニット３の浴槽水２ａに対して設置したり撤去したりする時などランプユニット３をハンドリングする際に、浴槽水２ａの水面２ｂ上の部分にある取っ手１５を把持してできるので、ランプユニット３をハンドリングし易い。
【００５７】
さらに、電力供給装置４が、ランプユニット３の紫外線ランプ９に供給する電力を発生させるとともに、防水構造のケーブル５が、電力供給装置４で発生した電力をランプユニット３の紫外線ランプ９に供給するので、ランプユニット３内に重い電力供給装置４を組み込む必要がなくなる結果、より軽くコンパクトなランプユニット３にすることができる。また、軽いランプユニット３にすることができるので、フロート部１０の容積を小さくすることができる結果、さらにコンパクトなハンドリングし易いランプユニット３にすることができる。
【００５８】
また、防水構造のケーブル５が、電力供給装置４で発生した電力をランプユニット３の紫外線ランプ９に供給するので、ランプユニット３をより広い範囲に移動させることができる結果、より広い浴槽２や浴場に適用することができるようになる。
【００５９】
そして、殺菌装置１のケーブル巻き取り機６により、ケーブル５を繰り出したり、巻き取ったりすることができるので、収納性の良好な殺菌装置１とすることができる。
【００６０】
また、手押し車７に電力供給装置４と、ケーブル巻き取り機６と、ランプユニット保持部１１が設けられ、ランプユニット保持部１１が、ランプユニット３を着脱自在に保持するので、殺菌装置１を移動させることが容易になる。また、ランプユニット３とケーブル５との収納が容易になる。
【００６１】
上述した実施の形態は本発明の好ましい具体例を例示したものに過ぎず、本発明は上述した実施の形態に限定されない。
【００６２】
例えば、本発明の実施の形態に係る浴槽水の殺菌装置１は、必ずしも図示のように、キャスターが付いた手押し車７に組み込まれたものに限定されない。1箇所に設置される固定式の装置に構成することも可能である。
【００６３】
また、ランプユニット３も、必ずしも長尺の紫外線ランプ９を用いたものに限定されず、環状、球状など種々の紫外線ランプ９に設計変更することが可能である。
【００６４】
また、ランプユニット３は、紫外線ランプ９を浴槽水２ａの水面２ｂ直下に横たわるように、また、紫外線ランプ９の長手方向が概ね水面２ｂに平行になるように紫外線ランプ９を保持することが好ましいが、必ずしもこのように紫外線ランプ９を保持する必要はなく、必要に応じて、水中に垂直に保持するようにしてもよいなど、種々の設計変更が可能である。
【００６５】
それ故、反射板１３、保護枠１４、ランプユニット３の取っ手１５などの配置や構成などもそれに応じて種々の設計変更が可能である。
【００６６】
また、電力供給装置４も、家庭用交流１００ボルト電源から電力の供給を受けるものに限定されず、必要とあれば、バッテリーを備えたものに変更することもできる。また、電力供給装置４の点灯方式も種々のものが採用可能である。
【００６７】
その他、本発明の特許請求の範囲内で種々の設計変更が可能であることはいうまでもない。
【図面の簡単な説明】
【００６８】
【図１】本発明の実施の形態に係る浴槽水の殺菌装置の構成を示す側面図である。
【図２】図１の正面図である。
【図３】図１の上面図である。
【図４】殺菌装置のランプユニットの構成を示す斜視図である。
【図５】ランプユニットの上面図である。
【図６】図５の側面図である。
【図７】図５の下面図である。
【図８】ランプユニットを長手方向から見た図５の側面図である。
【図９】図７のＡ−Ａ断面図である。
【図１０】浴槽に浮かんだ状態のランプユニットを示す斜視図である。
【図１１】従来の浴槽水の殺菌装置の構成を示す概念図である。
【符号の説明】
【００６９】
１    浴槽水の殺菌装置
２    浴槽
２ａ  浴槽水
２ｂ  水面
３    ランプユニット
４    電力供給装置
５    ケーブル
６    ケーブル巻き取り機
７    手押し車
９    紫外線ランプ
１０  フロート部
１１  ランプユニット保持部
１３  反射板
１４  保護枠
１５  取っ手
【図１】
2007089850.tif 000003
【図２】
2007089850.tif 000004
【図３】
2007089850.tif 000005
【図４】
2007089850.tif 000006
【図５】
2007089850.tif 000007
【図６】
2007089850.tif 000008
【図７】
2007089850.tif 000009
【図８】
2007089850.tif 000010
【図９】
2007089850.tif 000011
【図１０】
2007089850.tif 000012
【図１１】
2007089850.tif 000013